(57)【要約】【課題】構造面で合理的であり、利便性のある、電子レンジ用取っ手付き金属製食品加熱トレイを提供する。【解決手段】金属トレイを有する電子レンジ用金属製食品加熱トレイであり、金属トレイの端に、断熱性の取っ手２が対称的に配置されている。この電子レンジ用取っ手付き金属製食品加熱トレイは、精確なデザインで、合理的な構造となっている。トレイの両端に設けられた断熱性の取っ手２により、金属トレイをより便利に扱うことが可能となっており、これにより、トレイ内の食品の温度や、トレイ自身の熱さに拘らず、手でトレイを取り出すことができる。別の材質からなる電子レンジ用回転トレイに、電子レンジ用取っ手付き金属製食品加熱トレイを適用できるように、電子レンジ用取っ手付き金属製食品加熱トレイの底面３には、絶縁性の台４が均等に配置されても良い。【選択図】　図１
2004073263.tif 000002
【特許請求の範囲】
【請求項１】
金属トレイを有する電子レンジ用取っ手付き金属製食品加熱トレイであって、
上記金属トレイの端に対称的に配置された断熱性の取っ手を備えること
を特徴とする電子レンジ用取っ手付き金属製食品加熱トレイ。
【請求項２】
請求項１に記載の電子レンジ用取っ手付き金属製食品加熱トレイであって、
上記金属トレイの底面上に均等に配置された絶縁性の台を備えること
を特徴とする電子レンジ用取っ手付き金属製食品加熱トレイ。
【請求項３】
請求項１又は請求項２に記載の電子レンジ用取っ手付き金属製食品加熱トレイであって、
上記取っ手と上記台は加硫により金属トレイに接着されていること
を特徴とする電子レンジ用金属製食品加熱トレイ。
【請求項４】
請求項１又は請求項２に記載の電子レンジ用取っ手付き金属製加熱トレイであって、
上記取っ手と上記台とはゴム製であること
を特徴とする電子レンジ用金属製食品加熱トレイ。
【発明の詳細な説明】
【０００１】
【発明の属する技術分野】
本発明は、電子レンジ用トレイに関し、特に、電子レンジで用いられる取っ手付き食品加熱用金属トレイに係わる。
【０００２】
【従来の技術】
食品加熱器の新しい形態として、電子レンジが消費者の間で広く利用されている。電子レンジ内で用いられる従来までの回転トレイは、ガラス製であり、マイクロ波の透過を助長している。従って、電子レンジで食品を加熱するためには、非金属製トレイが一般的に用いられる。この非金属製トレイは、通常、厚みのあるガラストレイまたはセラミックトレイ等である。電子レンジの加熱原理に関する研究が進むにつれ、軽量で耐久性の高い、金属ほうろう製の回転トレイのような金属性の物質からなる電子レンジ用回転トレイが市場に出回るようになり、性能面では電子レンジの補助的な役割として利用するための必要条件を十分に満たすものとなっている。金属ほうろう製の回転トレイが電子レンジで利用可能であることから、金属製のトレイも食品容器として利用できることは当然のことである。これにより、電子レンジ用の金属製食品加熱トレイが市場に出回るようになっている。金属製食品加熱トレイは、より薄く、コンパクトであり、壊れにくく、さらに手入れが容易であるという利点がある。
【０００３】
【発明が解決しようとする課題】
しかしながら、金属製のトレイは、熱伝導性が速いことから、レンジから取り出す際に手にやけどをする恐れがある。
【０００４】
本発明は、金属製食品加熱トレイの上記欠点を解消するものであり、構造面で合理的であり、利便性のある、電子レンジ用取っ手付き金属製食品加熱トレイを提供することを目的とする。
【０００５】
【課題を解決するための手段】
本発明に係る電子レンジ用取っ手付き金属製食品加熱トレイの特徴は、金属トレイを有し、金属トレイの端に、断熱性の取っ手が対称的に配置されていることにある。本発明に係る電子レンジ用取っ手付き金属製食品加熱トレイは、精確なデザインで、合理的な構造となっている。トレイの両側に設けられた断熱性の取っ手により、金属トレイをより便利に扱うことが可能となっており、これにより、トレイ内の食品の温度や、トレイ自身の熱さに拘らず、手でトレイを取り出すことができる。別の材質からなる電子レンジ用回転トレイに、電子レンジ用取っ手付き金属製食品加熱トレイを適用できるように、本発明の電子レンジ用取っ手付き金属製食品加熱トレイの底面には、絶縁性の台が均等に配置されても良い。
【０００６】
【発明の実施の形態】
以下、図面を参照して、本発明に係る電子レンジ用金属製食品加熱トレイの具体的な構造を示す。
【０００７】
図１及び図２は円形の電子レンジ用金属製食品加熱トレイを示し、金属トレイ１の端には、断熱性の取っ手２が対称的に配置されている。また、金属トレイ１の底面３上には３つの絶縁性の台４があり、これらの台４は、底面３上に均等に、すなわち対称的に配置されている。また、断熱性の取っ手２と絶縁性の台４とは、共にゴムで作られ、加硫により金属トレイ１に貼着されている。取っ手２は、金属トレイ１の端部を心材として、その周囲を覆うように設けられている。なお、取っ手２自身の剛性が高い場合には、金属トレイ１の端部を心材とする必要はない。
【０００８】
台４が均等に配置されているとは、３つの台４が底面３上に略均一にバランス良く配置されていることをいう。また、台４が対称的に配置されているとは、３つの台４が、底面３の中心からほぼ等距離で、且つ相互間の距離がほぼ等しい位置に配置されていることをいう。台４をこのように配置することにより、金属トレイ１を、電子レンジの回転トレイ（図示外）上に安定した状態で載置することができる。
【０００９】
また、金属トレイ１の両側に設けられた断熱性の取っ手２を掴むことにより、金属トレイ１内の食品の温度や、金属トレイ１自身の熱さに拘らず、手で金属トレイ１を電子レンジ内から取り出すことができ、金属トレイ１の利便性が高まる。
【００１０】
さらに、電子レンジの回転トレイ上に金属トレイ１を載置した状態では、回転トレイには底面３から突出する絶縁性の台４が接触し、金属トレイ１は回転トレイから離れた状態（非接触状態）となる。従って、電子レンジの回転トレイが金属製であっても、回転トレイと金属トレイ１との間の電気伝導に起因するスパークの発生を確実に回避することができる。
【００１１】
このような電子レンジ用の金属トレイ１は、電子レンジ以外に用いられる金属製食品加熱トレイと同様の機能を果たす。また、電子レンジ内において、非金属製及び金属製回転トレイの双方と併用して使用可能である。
【００１２】
なお、絶縁性の台４の数は、金属トレイ１を回転トレイ上に安定して載置可能な数であれば良く、必ずしも３つに限定されるものではない。また、取っ手２及び台４を金属トレイ１に固定する方法は、加硫による接着に限定されるものではなく、例えばビス等による機械的な固定などの他の方法であっても良い。
【００１３】
以上、本発明者によってなされた発明を適用した実施の形態の構成及び作用について説明したが、この実施の形態による本発明の開示の一部をなす論述及び図面により本発明は限定されることはない。すなわち、上記実施の形態に基づいて当業者等によりなされる他の実施の形態、実施例及び運用技術等は全て本発明の範疇に含まれることを最後に付け加えておく。
【００１４】
【発明の効果】
本発明に係る電子レンジ用金属製食品加熱トレイによれば、トレイ内の食品の温度や、トレイ自身の熱さに拘らず、手でトレイを取り出すことができる。
【図面の簡単な説明】
【図１】図１は、電子レンジ用取っ手付き金属製食品加熱トレイの概略構成図である。
【図２】図２は、図１に示す直線Ａ−Ａにおける電子レンジ用取っ手付き金属製加熱トレイの断面図である。
【符号の説明】
１…金属トレイ、２…取っ手、３…底面、４…台
【図１】
2004073263.tif 000003
【図２】
2004073263.tif 000004